(57)【要約】【課題】機密文書データのセキュリティ性を高めつつ、当該データの一括管理を可能にすする。【解決手段】機密文書データを保存するための機密文書ボックスを記憶部に割り当てる。そして、パスワードを入力するための入力手段と、文書データが機密文書データと一般文書データとのいずれに該当するかを判定する判定手段と、をさらに備え、該判定手段により文書データが機密文書データであると判定された場合には、入力手段により入力されたパスワードが、予め設定した保存制限パスワードに一致する場合に限り、文書データを上記機密文書ボックスに保存させる。【選択図】図２
2015058699.tif 000002
【特許請求の範囲】
【請求項１】
文書データを取得する取得手段と、該取得手段により取得された文書データを記憶部に保存させるデータ保存制御手段と、上記記憶部に記憶された文書データを記録用紙に印刷する印刷手段と、該印刷手段を制御する印刷制御手段と、を備えた画像形成装置であって、
上記記憶部には、機密レベルが所定レベルを超える機密文書データを保存するための機密文書ボックスと、機密レベルが上記所定レベル以下の一般文書データを保存するための一般文書ボックスと、が割り当てられ、
パスワードを入力するための入力手段と、
上記取得手段により取得された文書データが、上記機密文書データと上記一般文書データとのいずれに該当するかを判定する判定手段と、をさらに備え、
上記データ保存制御手段は、上記取得手段により取得された文書データが上記機密文書データに該当すると上記判定手段により判定された場合には、上記パスワード入力手段により入力されたパスワードが、予め設定した保存制限パスワードに一致するか否かを判定して、一致すると判定したときには、上記文書データを上記機密文書ボックスに保存する一方、一致しないと判定したきには、上記文書データを、上記機密文書ボックス及び上記一般文書ボックスの双方に保存しないように構成されている、画像形成装置。
【請求項２】
請求項１記載の画像形成装置において、
上記機密文書ボックスには、該ボックス内に保存された文書データへのアクセスを制限するアクセス制限パスワードが設定され、
上記印刷制御手段は、上記パスワード入力手段により入力されたパスワードが上記アクセス制限パスワードに一致するか否かを判定して、一致すると判定した場合には、上記印刷手段による機密文書ボックス内の文書データの印刷を実行する一方、一致しないと判定した場合には、上記印刷手段による機密文書ボックス内の文書データの印刷を実行しないように構成されている、画像形成装置。
【請求項３】
請求項１又は２記載の画像形成装置において、
上記データ保存制御手段は、上記文書データを上記機密文書ボックスに保存する際には、該文書データに対して、当該文書データが機密文書データであることを示すファイル名を付与するように構成されている、画像形成装置。
【請求項４】
請求項１乃至３のいずれか一項に記載の画像形成装置において、
上記文書データに可視的又は不可視的なウォーターマークを埋め込むセキュリティ・ウォーターマーク機能と、上記印刷手段によって記録用紙に印刷を行う際に、当該記録用紙が機密書類であることを示す特定文字を併せて印刷するスタンプ機能とを備え、
上記判定手段は、上記ウォーターマーク機能が有効に設定されている場合、又は、上記スタンプ機能が有効に設定されている場合には、上記文書データが機密文書データであると判定するように構成されている、画像形成装置。
【請求項５】
請求項４記載の画像形成装置において、
上記文書データ中の文字を光学的に読み取るＯＣＲ機能をさらに備え、
上記判定手段は、上記ＯＣＲ機能により読取った文書データ中の文字が、当該データが機密文書データであることを示す特定文字を含む場合には、上記文書データが機密文書データであると判定するように構成されている、画像形成装置。
【請求項６】
請求項２記載の画像形成装置において、
上記保存制限パスワードと上記アクセス制限パスワードとは異なる、画像形成装置。
【発明の詳細な説明】
【技術分野】
【０００１】
本発明は、画像形成装置に関する。
【背景技術】
【０００２】
従来より、スキャナ部や外部端末等から文書データを取得して、取得した文書データを記録用紙に印刷する画像形成装置は知られている。この種の画像形成装置では、印刷物の機密性を確保するべく、現在までに種々の技術が提案されている。
【０００３】
例えば、特許文献１には、ボックス内に保存された文書データ中に、所定のキーワード（例えば「印刷禁止」等のワード）が含まれているか否かを判定する判定手段を備え、該判定手段により「キーワードが含まれている」と判定された場合には、当該ボックスに対してアクセス制限を設定する技術が開示されている。これにより、ユーザーが機密文書に容易にアクセスできないようになっている。このアクセス制限は、ユーザパスワードによる制限や、管理者パスワードによる制限とされている。
【先行技術文献】
【特許文献】
【０００４】
【特許文献１】特開２０１２−８８８６４号公報
【発明の概要】
【発明が解決しようとする課題】
【０００５】
しかし、上記特許文献１に示す従来の画像形成装置では、機密文書データが保存されたボックスへのアクセス権限が、ユーザーに対して設定される場合もあれば、管理者に対して設定される場合もある。このため機密文書を一括管理することができないという問題がある。
【０００６】
本発明は、かかる点に鑑みてなされたものであり、その目的とするところは、機密文書データのセキュリティ性を高めつつ、機密文書を一括管理できるようにすることにある。
【課題を解決するための手段】
【０００７】
本発明に係る画像形成装置は、文書データを取得する取得手段と、該取得手段により取得された文書データを記憶部に保存させるデータ保存制御手段と、上記記憶部に記憶された文書データを記録用紙に印刷する印刷手段と、該印刷手段を制御する印刷制御手段と、を備えている。
【０００８】
そして、上記記憶部には、機密レベルが所定レベルを超える文書データを機密文書データとして保存するための機密文書ボックスと、機密レベルが上記所定レベル以下の文書データを一般文書データとして保存するための一般文書ボックスと、が割り当てられ、パスワードを入力するための入力手段と、上記取得手段により取得された文書データが、上記機密文書データと上記一般文書データとのいずれに該当するかを判定する判定手段と、をさらに備え、上記データ保存制御手段は、上記取得手段により取得された文書データが上記機密文書データに該当すると判定した場合には、上記パスワード入力手段により入力されたパスワードが、予め設定した保存制限パスワードに一致するか否かを判定して、一致すると判定したときには、上記文書データを上記機密文書ボックスに保存する一方、一致しないと判定したきには、上記文書データを、上記機密文書ボックス及び上記一般文書ボックスの双方に保存しないように構成されている。
【０００９】
この構成によれば、機密文書データを保存するための専用のボックス（機密文書ボックス）を設けるようにしたことで、機密文書データを一括管理することができる。また、機密文書ボックスに機密文書データを保存する際に、保存制限パスワードによるパスワード認証を要求するようにしたことで、限られたユーザーのみが機密文書ボックスに機密文書データを保存できることとなり、これにより、機密文書データを該ユーザーにより一元的に管理することができる。また、従来に比べて、機密文書データを容易に保存できなくなるので、機密文書データが簡単に漏洩し難くなり、延いては、機密文書データのセキュリティ性を向上させることができる。
【発明の効果】
【００１０】
本発明によれば、機密文書データのセキュリティ性を高めつつ、当該データの一括管理が可能となる。
【図面の簡単な説明】
【００１１】
【図１】図１は、実施形態における画像形成装置としての複合機を示すブロック図である。
【図２】図２は、コントローラーにおける印刷制御の前半部を示すフローチャートである。
【図３】図３は、コントローラーにおける印刷制御の後半部を示すフローチャートである。
【発明を実施するための形態】
【００１２】
以下、本発明の実施形態を図面に基づいて詳細に説明する。尚、本発明は、以下の実施形態に限定されるものではない。
《実施形態》
【００１３】
図１は、実施形態における画像形成装置としてのデジタル複写機（以下、単に複写機という）１０を示すブロック図である。この複写機１０は、文書ボックス機能を備えている。文書ボックス機能とは、読み取った文書データをボックスに保存したり、ボックスから文書データを読み出して印刷したりする機能をいう。本実施形態では、複写機１０は、機密文書ボックス１３ａと一般文書ボックス１３ｂとの２種類のボックスを有している。各ボックス１３ａ，１３ｂへの文書データの保存制御については後述する。
【００１４】
上記複写機１０は、操作表示部１１、画像読取部１２、データ記憶部１３、画像処理部１４、給紙カセット部１５、画像形成部１６、パスワード記憶部１７、及びコントローラー１８を備えている。
【００１５】
操作表示部１１は、液晶式のタッチパネル１１ａを有している。操作表示部１１は、タッチパネル１１ａ上に選択操作可能な操作ボタンを表示させる。操作表示部１１は、タッチパネル１１ａに表示された操作ボタンの操作情報をコントローラー１８に出力する。また、操作表示部１１は、コントローラー１８からの指令を受けてタッチパネル１１ａ上に種々の画面を表示する。この画面には、例えば、パスワード入力画面、機能設定画面等が含まれる。
【００１６】
パスワード入力画面では、ユーザーがテンキーを操作することによりパスワードを入力可能になっている。機能設定画面では、ユーザーがタッチパネル１１ａを操作することにより、セキュリティ・ウォーターマーク機能、ＯＣＲ（Ｏｐｔｉｃａｌ  Ｃｈａｒａｃｔｅｒ  Ｒｅａｄｅｒ）機能、及びスタンプ機能の３つの機能のそれぞれについて、有効／無効を設定可能になっている。
【００１７】
セキュリティ・ウォーターマーク機能とは、文書データの中に可視的又は不可視的なウォーターマークを埋め込む機能である。このウォーターマークは、該文書データが機密文書データであることを意味する。ＯＣＲ機能とは、文書データ中の文字を光学的に読み取る機能である。スタンプ機能とは、記録用紙に、当該用紙が機密書類であることを示す特定文字（例えば、「Ｃｏｎｆｉｄｅｎｔｉａｌ」や「社外秘」）を印刷する機能である。
【００１８】
画像読取部１２は、コントローラー１８からの指令を受けて、プラテンガラス上に載置された原稿用紙の画像をラインセンサにより読取って文書データに変換する。画像読取部１２は、該変換後の文書データをデータ記憶部１３に出力する。
【００１９】
データ記憶部１３は、例えば半導体メモリー又はハードディスクなどにより構成されている。データ記憶部１３は、ＲＯＭやＲＡＭにより構成されている。データ記憶部１３内には、理論記憶領域であるボックスが登録されている。本実施形態では、上述したように、このボックスとして機密文書ボックス１３ａと一般文書ボックス１３ｂとの２つのボックスが設けられている。機密文書ボックス１３ａには、アクセス制限パスワードが設定されている。このアクセス制限パスワードは、機密文書ボックス１３ａ内の文書データにアクセスしてその印刷を行うためのパスワードである。機密文書ボックス１３ａには、文書データのセキュリティレベルが所定レベルを超える機密文書データが保存される。一方、一般文書ボックス１３ｂには、文書データのセキュリティレベルが上記所定レベル以下の一般文書データが保存される。データ記憶部１３は、コントローラー１８からの指令を受けて、各ボックス１３ａ、１３ｂに文書データを記憶したり、該記憶した文書データを読み出して画像処理部１４に出力したりする。
【００２０】
画像処理部１４は、コントローラー１８からの指令を受けて、データ記憶部１３から入力される文書データに対して各種の画像処理を施すとともに、文書データのサイズを調整（拡大、縮小又は等倍）する。画像処理部１４は、サイズ調整後の文書データを画像形成部１６に出力する。
【００２１】
給紙カセット部１５は、第１〜第３カセット１５ａ〜１５ｃを有している。各カセット１５ａ〜１５ｃには、定形サイズの用紙が補充可能に収容されている。
【００２２】
画像形成部１６は、記録用紙を所定の搬送経路に沿って搬送するための搬送機構と、該搬送経路に設けられたプリントエンジン（感光ドラム、帯電器、現像装置、及び定着ローラーなど）とを有している。画像形成部１６は、コントローラー１８からの指令を受けて、給紙ローラーによって給紙カセット部１５から搬送経路へと用紙を供給する。そして、画像形成部１６は画像処理部１４から入力された文書データに基づく画像を、上記プリントエンジンによって用紙に転写して定着させ、その後、当該用紙を排出ローラーにより排出トレイへと排出する。
【００２３】
パスワード記憶部１７には、上記アクセス制限パスワードと、保存制限パスワードとが記憶されている。この保存制限パスワードは、機密文書ボックス１３ｂへ文書データの保存を制限するパスワードであって、上記アクセス制限パスワードとは異なる。
【００２４】
コントローラー１８は、ＣＰＵ、ＲＯＭ及びＲＡＭ等を有するマイクロコンピューターからなる。コントローラー１８は、上記ＲＯＭに記憶された制御プログラムを実行することにより、文書データの印刷制御を実行する。
【００２５】
図２を参照して、コントローラー１８における文書データの印刷制御の前半部について説明する。
【００２６】
最初のステップＳ１では、画像読取部１２にて読取った文書データを取得する。
【００２７】
ステップＳ２では、操作表示部１１からの操作情報を基、現在、セキュリティ・ウォーターマーク機能が有効とされているか否かを判定する。そして、この判定がＹＥＳである場合には、ステップＳ１で取得した文書データ（ユーザーがこれから印刷しようとしている文書データ）が機密文書データであるものとしてステップＳ７に進む一方、ＮＯである場合にはステップＳ３に進む。
【００２８】
ステップＳ３では、ＯＣＲ機能を利用して、ステップＳ１で取得した文書データ中に、「Ｃｏｎｆｉｄｅｎｔｉａｌ」や「社外秘」等の特定文字が含まれているか否かを判定する。そして、この判定がＹＥＳである場合には、該文書データが機密文書データであるものとしてステップＳ７に進む一方、ＮＯである場合にはステップＳ４に進む。
【００２９】
ステップＳ４では、操作表示部１１からの操作情報を基、現在、スタンプ機能が有効とされているか否かを判定する。そして、この判定がＹＥＳである場合には、ステップＳ１で取得した文書データ（ユーザーがこれから印刷しようとしている文書データ）が機密文書データであるものとしてステップＳ７に進む一方、ＮＯである場合には、文書データが一般文書データであるものとしてステップＳ５に進む。
【００３０】
ステップＳ５では、「文書データを一般文書ボックスに保存しますか？」というメッセージダイアログをタッチパネル１１ａに表示させる。そして、このダイアログに対するユーザーの回答がＹＥＳである場合にはステップＳ６に進む一方、ＮＯである場合には本印刷制御を終了する。
【００３１】
ステップＳ６では、文書データを一般文書ボックス１３ｂに保存し、しかる後にステップＳ１２（図３参照）に進む。
【００３２】
ステップＳ２〜Ｓ４のいずれかの判定がＹＥＳである場合に進むステップＳ７では、「文書データを機密文書ボックスに保存しますか？」というメッセージダイアログをタッチパネル１１ａに表示させる。そして、このダイアログに対するユーザーの回答がＮＯである場合には、本印刷制御を終了する一方、ＹＥＳである場合にはステップＳ８に進む。
【００３３】
ステップＳ８では、タッチパネル１１ａにパスワード入力画面を表示させる。
【００３４】
ステップＳ９では、上記パスワード入力画面を介して入力されたパスワードが、パスワード記憶部１７に記憶された保存制限パスワードに一致するか否かを判定する。そして、この判定がＮＯである場合にはリターンする一方、ＹＥＳである場合にはステップＳ１０に進む。
【００３５】
ステップＳ１０では、文書データに対して、当該文書データが機密文書データであることを示すファイル名を付与する。具体的には、文書データに予め付与されていた日付等からなるファイル名の先頭に、「Ｃｏｎｆｉｄｅｎｔｉａｌ」等の文字を付与する。
【００３６】
ステップＳ１１では、文書データを機密文書ボックス１３ａに保存し、しかる後にステップＳ１２（図３参照）に進む。
【００３７】
次に、図３を参照して、コントローラー１８における文書データの印刷制御の後半部について説明する。
【００３８】
ステップＳ１２では、ボックス１３ａ、１３ｂに保存されている全ての文書データのファイル名を、タッチパネル１１ａ上に選択可能に表示する。
【００３９】
ステップＳ１３では、タッチパネル１１ａに表示した文書データのうちユーザーが選択した文書データの保存場所が、機密文書ボックス１３ａであるか否かを判定する。そして、この判定がＮＯである場合にはステップＳ１８に進む一方、ＹＥＳである場合にはステップＳ１４に進む。
【００４０】
ステップＳ１４では、タッチパネル１１ａにパスワード入力画面を表示する。
【００４１】
ステップＳ１５では、上記パスワード入力画面を介して入力されたパスワードが、パスワード記憶部１７に記憶されたアクセス制限パスワードに一致するか否かを判定する。そして、この判定がＮＯである場合には本印刷制御を終了する一方、ＹＥＳである場合にはステップＳ１６に進む。
【００４２】
ステップＳ１６では、機密文書ボックス１３ａから上記ユーザーが選択した文書データを呼出す。
【００４３】
ステップＳ１７では、ステップＳ１６で呼び出した文書データを印刷するべく画像形成部１６に対して命令し、しかる後に本印刷制御を終了する。
【００４４】
ステップＳ１３の判定がＮＯである場合に進むステップＳ１８では、一般文書ボックス１３ｂから上記ユーザーが選択した文書データを呼出して、しかる後にステップＳ１７に進む。
【００４５】
以上説明したように、上記実施形態では、コントローラー１８は、ステップＳ１で取得した文書データが機密文書データに該当すると判定した場合（ステップＳ２〜Ｓ４のいずれか１つの判定がＹＥＳ）には、パスワード入力画面より入力されたパスワードが、パスワード記憶部１７に記憶された保存制限パスワードに一致するか否かを判定して、一致すると判定したときには（ステップＳ９でＹＥＳ）、文書データを機密文書ボックス１３ａに保存する一方（ステップＳ１１）、一致しないと判定したきには（ステップＳ９でＮＯ）、印刷制御処理を終了して、上記文書データを、機密文書ボックス１３ａ及び一般文書ボックス１３ｂの双方に保存しないように構成されている。
【００４６】
この構成によれば、機密文書データを保存するための専用のボックス（機密文書ボックス１３ａ）を設けるようにしたことで、機密文書データを一括管理することができる。また、機密文書ボックス１３ａに機密文書データを保存する際に、保存制限パスワードによるパスワード認証を要求するようにしたことで、限られたユーザーのみが機密文書ボックス１３ａに機密文書データを保存できることとなり、これにより、機密文書データを当該ユーザーにより一元的に管理することができる。また、従来に比べて、機密文書データを容易に保存できなくなるので、機密文書データが簡単に漏洩し難くなり、延いては、機密文書データのセキュリティ性を向上させることができる。
【００４７】
また上記実施形態では、機密文書ボックス１３ａには、該ボックス１３ａ内に保存された文書データへのアクセスを制限するアクセス制限パスワードが設定されている。そして、コントローラー１８は、文書データを機密文書データ１３ａに保存した後、再度、タッチパネル１ａにパスワード入力画面を表示して（ステップＳ１４）、ユーザーにパスワードの入力を促す。そして、コントローラー１８は、該パスワード入力画面を介して入力されたパスワードが、上記アクセス制限パスワードに一致するか否かを判定して、一致すると判定した場合には（ステップＳ１５でＹＥＳ）、上記画像形成部１６による機密文書ボックス内の文書データの印刷を実行する一方、一致しないと判定した場合には（ステップＳ１５でＮＯ）、印刷制御処理を終了して、上記画像形成部１６による文書データの印刷を実行しないように構成されている。
【００４８】
この構成によれば、機密文書ボックス１３ａに保存された機密文書データにアクセスするために、アクセス制限パスワードによるパスワード認証を要求するようにしたことで、機密文書データのセキュリティ性をより一層高めることができる。
【００４９】
また、上記実施形態では、コントローラー１８は、上記文書データを機密文書ボックス１３ａに保存する際には、該文書データに対して、当該文書データが機密文書データであることを示すファイル名を付与するように構成されている（ステップＳ１０）。
【００５０】
この構成によれば、ユーザーは、タッチパネル１１ａに表示された文書データのファイル名から、機密文書データと一般文書データとを容易に見分けることができる。したがって、ユーザーが機密文書データを不用意に印刷して配布するのを防止することができる。よって、機密文書データの漏洩をより一層確実に防止することができる。
【００５１】
また、上記実施形態では、コントローラー１８は、ＯＣＲ機能による特定文字の検出のみでなく、スタンプ機能及びセキュリティ・ウォーターマーク機能の有効／無効に基づいて、文書データが機密文書データであるか否かを判定するように構成されている。したがって、ＯＣＲ機能のみを利用した判定方法に比べて判定精度を高めることができる。
【００５２】
上記実施形態では、上記保存制限パスワードと上記アクセス制限パスワードとは異なっている。これにより、機密文書データの印刷に際して２重のパスワード制限を課すことができる。よって、機密文書データのセキュリティ性を可及的に高めることができる。
【００５３】
《他の実施形態》
【００５４】
上記実施形態では、保存制限パスワードとアクセス制限パスワードとが異なる例を示したが、これに限ったものではなく、両パスワードは同じであってもよい。
【００５５】
上記実施形態では、画像形成装置の一例として、複写機１０について説明したが、画像形成装置は、これに限らず、例えば、外部端末からデータを受信するプリンター、又は複合機等の他の画像形成装置であってもよい。
【産業上の利用可能性】
【００５６】
以上説明したように、本発明は、画像形成装置について有用であり、特に、ボックス機能を有する画像形成装置に有用である。
【符号の説明】
【００５７】
１０      複写機（画像形成装置）  
１１ａ  タッチパネル（パスワード入力手段）    
１２      画像読取部（取得手段）
１３      データ記憶部（記憶部）
１６      画像形成部（印刷手段）
１８      コントローラー（データ保存制御手段、印刷制御手段、判定手段）
【図１】
2015058699.tif 000003
【図２】
2015058699.tif 000004
【図３】
2015058699.tif 000005